(57)【要約】【課題】記録又は再生に関する様々な操作の切り替えを、簡易にかつ間違いなく行えるようにする。【解決手段】動画像の撮像を行ってその動画像を記録又は再生する場合に、記録再生装置の現在の動作状態を示す識別図形を所定の操作内容表示領域の中央に表示させ、現在の動作状態を示す識別図形の周辺に、記録又は再生の動作の種類が割り当てられた案内表示としての識別図形を複数表示させ、案内表示としての識別図形のうち特定の識別図形が選択された場合に、選択された特別の識別図形に対応する動作を記録再生部に行わせ、選択された識別図形を現在の動作状態を示す識別図形として操作内容表示領域の中央に移動させ、操作内容表示領域の中央に表示されていた識別図形を、選択された識別図形が移動した移動方向と同じ移動方向に移動させるようにした。【選択図】図５
2008053838.tif 000002
【特許請求の範囲】
【請求項１】
動画像の撮像を行う撮像部と、該撮像部で撮像された動画像の記録を行って該記録された動画像の再生を行う記録再生部とを備える記録再生装置において、
操作子を備える操作部と、
当該記録再生装置の現在の動作状態を示す識別図形を操作内容表示領域の中央に表示させ、該現在の動作状態を示す識別図形の周辺に、記録又は再生の動作内容が割り当てられた案内表示としての識別図形を複数表示させる表示指令信号を生成する制御部と、
前記制御部で生成された表示指令信号により表示信号を作成して出力する出力部とを備え、
前記制御部は、前記案内表示としての識別図形のうち、特定の識別図形が前記操作部への操作によって選択された場合に、該選択された特定の識別図形に対応する動作を前記記録再生部に行わせる指令信号を出力し、該選択された識別図形を前記現在の動作状態を示す識別図形として前記操作内容表示領域の中央に移動させ、前記操作内容表示領域の中央に表示されていた識別図形を、該選択された識別図形が移動した移動方向と同じ移動方向に移動させる表示指令信号を生成することを特徴とする
記録再生装置。
【請求項２】
請求項１記載の記録再生装置において、
前記操作子は、少なくとも４つの操作方向に対する操作を行えることを特徴とする
記録再生装置。
【請求項３】
請求項１記載の記録再生装置において、
表示部を備え、
前記制御部は、前記出力部で生成された表示信号に基づいて前記操作内容表示領域を表示部に表示させることを特徴とする
記録再生装置。
【請求項４】
請求項１記載の記録再生装置において、
前記記録又は再生の動作内容を示す識別図形は、記録又は再生の時系列順、又は、記録又は再生の速度順に前記操作内容表示領域の中央を通る直線上に配置されており、前記操作子からの操作信号に応じて記録又は再生の時間軸の方向及び速度が切り替わることを特徴とする
記録再生装置。
【請求項５】
動画像の撮像を行う撮像部と、該撮像部で撮像された動画像の再生を行う再生部とを備える再生装置において、
操作子を備える操作部と、
当該再生装置の現在の動作状態を示す識別図形を操作内容表示領域の中央に表示させ、該現在の動作状態を示す識別図形の周辺に、再生の動作内容が割り当てられた識別図形を案内表示として複数表示させる表示指令信号を生成する制御部と、
前記制御部で生成された表示指令信号により表示信号を作成して出力する出力部とを備え、
前記制御部は、前記案内表示としての識別図形のうち、特定の識別図形が前記操作部への操作によって選択された場合に、該選択された特別の識別図形に対応する動作を前記再生部に行わせる指令信号を出力し、該選択された識別図形を前記現在の動作状態を示す識別図形として前記操作内容表示領域の中央に移動させ、前記操作内容表示領域の中央に表示されていた識別図形を、該選択された識別図形が移動した移動方向と同じ移動方向に移動させる表示指令信号を生成することを特徴とする
再生装置。
【請求項６】
動画像の撮像を行う撮像部と、該撮像部で撮像された動画像の記録を行う記録部とを備える記録再生装置において、
操作子を備える操作部と、
当該記録装置の現在の動作状態を示す識別図形を操作内容表示領域の中央に表示させ、該現在の動作状態を示す識別図形の周辺に、記録の動作内容が割り当てられた識別図形を案内表示として複数表示させる表示指令信号を生成する制御部と、
前記制御部で生成された表示指令信号により表示信号を作成して出力する出力部とを備え、
前記制御部は、前記案内表示としての識別図形のうち、特定の識別図形が前記操作部への操作によって選択された場合に、該選択された特定の識別図形に対応する動作を前記記録部に行わせる指令信号を出力し、該選択された識別図形を前記現在の動作状態を示す識別図形として前記操作内容表示領域の中央に移動させ、前記操作内容表示領域の中央に表示されていた識別図形を、該選択された識別図形が移動した移動方向と同じ移動方向に移動させる表示指令信号を生成することを特徴とする
記録装置。
【請求項７】
静止画像又は動画像の撮像を行う撮像部と、該撮像部で撮像された動画像の記録を行って該記録された動画像の再生を行う記録再生部とを備えるビデオカメラにおいて、
操作子を備える操作部と、
当該撮像記録再生装置の現在の動作状態を示す識別図形を操作内容表示領域の中央に表示させ、該現在の動作状態を示す識別図形の周辺に、記録又は再生の動作内容が割り当てられた識別図形を案内表示として複数表示させる表示指令信号を生成する制御部と、
前記制御部で生成された表示指令信号により表示信号を作成して出力する出力部とを備え、
前記制御部は、前記案内表示としての識別図形のうち、特定の識別図形が前記操作部への操作によって選択された場合に、該選択された特定の識別図形に対応する動作を前記記録部又は前記再生部に行わせる指令信号を出力し、該選択された識別図形を前記現在の動作状態を示す識別図形として前記操作内容表示領域の中央に移動させ、前記操作内容表示領域の中央に表示されていた識別図形を、該選択された識別図形が移動した移動方向と同じ移動方向に移動させる表示指令信号を生成することを特徴とする
ビデオカメラ。
【請求項８】
静止画又は動画像の撮像を行って該撮像した画像の記録又は再生を行う場合に、該記録又は再生の操作内容を表示する操作内容表示方法において、
装置の現在の動作状態を示す識別図形を操作内容表示領域の中央に表示させ、該現在の動作状態を示す識別図形の周辺に、記録又は再生の動作内容が割り当てられた案内表示としての識別図形を複数表示させ、
前記案内表示としての識別図形のうち、特定の識別図形が選択された場合に、該選択された特定の識別図形に対応する動作を行わせ、該選択された識別図形を前記現在の動作状態を示す識別図形として前記操作内容表示領域の中央に移動させ、前記操作内容表示領域の中央に表示されていた識別図形を、該選択された識別図形が移動した移動方向と同じ移動方向に移動させることを特徴とする
操作内容表示方法。
【発明の詳細な説明】
【技術分野】
【０００１】
本発明は、記録、再生、停止などの操作内容を所定の操作内容表示領域に表示する場合に適用して好適な記録再生装置、再生装置、記録装置、ビデオカメラ及び操作内容表示方法に関する。
【背景技術】
【０００２】
記録再生装置や記録再生機能を有するビデオカメラ等においては、再生や停止等の操作を行うためのボタンやキーがそれぞれの操作に応じて独立して設けられており、各操作を行う際には、それぞれの操作に対応して設けられたボタンやキーを選択する必要がある。また、記録や早送り、巻き戻しといった操作を特定のボタンに割り当てて使用することも行われている。
【０００３】
また、装置上の限られたスペースを有効利用するため、ジョイスティック等を用いて、再生、早送り、巻き戻し等の操作をジョイスティックの上下左右の操作方向に割り当て、それぞれの操作をジョイスティックの上下左右の操作によって行えるようにしたものもある。
【０００４】
特許文献１には、ジョイスティック状のレバーを上下左右に動かすことによって映像の再生に関する全ての動作をできるようにしたことについての開示がある。
【０００５】
特許文献２には、ジョイスティックの上下左右の操作方向に割り当てられた各機能を、ファインダ上にガイド表示させたことについての開示がある。
【特許文献１】特開平８−２３５６８０号公報
【特許文献２】特開２００３−１１０９１１号公報
【発明の開示】
【発明が解決しようとする課題】
【０００６】
ところで、記録や早送り、巻き戻しといった操作を特定のボタンに割り当てて使用する場合には、予めボタンへの割り当て設定を行っておく必要があり、手間がかかるという問題があった。また、操作子としてジョイスティックを用いる場合においては、再生や記録等の装置の現在の動作状況が分かりづらいため、次の操作を選択しようにも判断が難しい場合があった。
【０００７】
本発明はかかる点に鑑みてなされたものであり、記録又は再生に関する様々な操作の切り替えを、簡易にかつ間違いなく行えるようにすることを目的とする。
【課題を解決するための手段】
【０００８】
本発明は、動画像の撮像を行ってその動画像を記録又は再生する場合に、記録再生装置の現在の動作状態を示す識別図形を所定の操作内容表示領域の中央に表示させ、現在の動作状態を示す識別図形の周辺に、記録又は再生の動作の種類が割り当てられた案内表示としての識別図形を複数表示させ、案内表示としての識別図形のうち特定の識別図形が選択された場合に、選択された特別の識別図形に対応する動作を記録再生部に行わせ、選択された識別図形を現在の動作状態を示す識別図形として操作内容表示領域の中央に移動させ、操作内容表示領域の中央に表示されていた識別図形を、選択された識別図形が移動した移動方向と同じ移動方向に移動させるようにしたものである。
【０００９】
このようにしたことで、操作内容表示領域の中央に表示される装置の現在の動作情況を示す識別図形と、その周辺に表示される案内表示としての識別図形とが、操作内容に応じて切り替わるようになる。
【発明の効果】
【００１０】
本発明によると、操作内容表示領域の中央に表示される装置の現在の動作情況を示す識別図形と、その周辺に表示される案内表示としての識別図形とが、操作内容に応じて切り替わるため、記録又は再生に関する様々な操作の切り替えが簡易にかつ間違いなく行えるようになる。
【発明を実施するための最良の形態】
【００１１】
以下、本発明の一実施の形態を、図１〜図６を参照して説明する。
【００１２】
本例においては、記録又は再生に関する様々な操作の切り替えを行える十字キーを備えた記録再生装置に適用したものである。図１は、本例の記録再生装置の構成例を示すブロック図である。本例の記録再生装置は、動画像を撮影するカメラブロックと、カメラブロックが撮像した映像データを記録又は再生する記録再生部とを備える。
【００１３】
まずカメラブロックから説明すると、図１に示す記録再生装置において、撮像部１はレンズを備え、撮像部１はレンズを介して結像された被写体の光学像を光電変換して、映像信号を生成する。撮像部１による撮影は、カメラコントローラ２の制御に基づき、図示せぬ絞りの開口量が調整されたり、フォーカスが所望の位置の被写体に合うように調整されることで行われる。カメラコントローラ２は、カメラコントローラインターフェイス（以下、インターフェイスをＩ／Ｆと称する）３を介して伝送バス８に接続してあり、伝送バス８は、各種の信号、データ等を各部に伝送する。
【００１４】
カメラブロックの各部は、マイクロコンピュータなどで構成された制御部１２の制御に基づいて処理を実行する構成としてあり、制御部１２は、ＲＯＭ（Read Only Memory）やＲＡＭ（Random Access Memory）を備えて、ＲＯＭに各部の制御に必要なプログラムを記憶している他、必要に応じてデータを一時的にＲＡＭに記憶させる。
【００１５】
撮像部１で生成された映像信号は、制御部１２の制御に基づきビデオプロセッサ４に供給される。ビデオプロセッサ４は、図示せぬアナログ／デジタル変換器を備えており、入力された映像信号をデジタル信号に変換する。また、ビデオプロセッサ４は図示せぬ画像信号処理部を備え、デジタル信号に対するデジタル信号処理を行う。デジタル信号処理としては、例えば、画像信号のあるレベル以上を圧縮するニー補正、画像信号のレベルを予め設定されたγカーブに従って補正するγ補正、画像信号の信号レベルが所定範囲となるように制限するホワイトクリップ処理やブラッククリップ処理等を行う。ビデオプロセッサ４は制御部１２からの制御信号に基づいて動作し、制御部１２からの制御信号は、ビデオプロセッサＩ／Ｆ７を介してビデオプロセッサ４に供給される。
【００１６】
ビデオプロセッサ４で画像処理された映像信号は、ビデオＩ／Ｆ６を介して伝送ライン９上を伝送され、表示部であるビューファインダ１０にビューファインダＩ／Ｆ１１を通して供給され、映像として表示される。ビューファインダ１０上に各種案内用の文字、数字、図形などを表示させる必要がある場合には、ＯＳＤ（On Screen Display）処理部８が、オンスクリーンディスプレイのための信号を生成して映像信号と合成し、その合成した映像信号をビューファインダＩ／Ｆ１１を介してビューファインダ１０に供給する。本例においては、再生や停止といった記録再生装置の現在の動作状況を示すアイコン（識別図形）や、その状態から移行し得る動作内容を示すアイコンをビューファインダ１０上の特定の操作内容表示領域に表示させるようにしてあり、ＯＳＤ処理部８は、この場合の表示指令信号を生成する。操作内容表示領域に表示されるアイコンは、後述する操作部１３の十字キーの動作と連動して切り替わるようにしてあり、ＯＳＤ処理部８は都度表示指令信号を生成する。
【００１７】
ビューファインダ１０は、例えば液晶パネル等で構成され、撮像部１によって撮影中の映像又は、記録再生部で記録された映像の再生映像を表示する。ビューファインダ１０は、映像の他にも、映像データの属性データであるメタデータの表示も行う。
【００１８】
ビデオプロセッサ４から出力される映像信号は、ビデオ信号圧縮部５にも供給される。ビデオ信号圧縮部５では、映像信号をＭＰＥＧ（Moving Picture Experts Group）方式等の映像信号に変換するエンコード処理を行う。エンコード処理された映像信号は、制御部１２の制御に基づいて記録再生部に伝送されて、記録再生部の各部で記録される。ビデオプロセッサ４では、プロキシデータと呼ばれる編集用の映像データの生成も行うようにしてあり、プロキシデータ生成時には、ビデオプロセッサ４は映像データを例えばＭＰＥＧ４方式で圧縮して、低解像度の映像データに変換する処理を行う。
【００１９】
またカメラブロックは、操作部１３を備える。操作部１３は、映像信号の利得を切り替えるゲインスイッチ等のカメラ制御のためのボタンやつまみ等の操作子（図示せず）や、記録又は再生に関する様々な操作が割り当てられた十字キー（図示せず）等で構成される。十字キーの動作の詳細や割り当てられた機能等については後述する。
【００２０】
次に、記録再生部の構成について説明を行う。記録再生部においても、マイクロコンピュータなどで構成された制御部２１が各部の制御を行う構成としてある。記録再生部は、カメラブロックとのデータのやり取りを行うカメラＩ／Ｆ１６を備える。また、記録再生部にはマイクロフォン１７が接続されており、マイクロフォン１７が拾って得た音声信号はオーディオプロセッサ１８に供給される。オーディオプロセッサ１８は、入力された音声信号に対して増幅等の音声調整処理を行う他、アナログ／デジタル変換を行って音声デジタル信号を生成する。オーディオプロセッサ１８は、制御部２１からの制御信号に基づいて動作し、制御部２１からの制御信号はオーディオプロセッサＩ／Ｆ１９を介してオーディオプロセッサ１８に供給される。オーディオプロセッサ１８で生成された音声デジタル信号と、カメラＩ／Ｆ１６から取り込まれた映像信号とは、制御部２１の制御に基づいて映像データとして合成される。
【００２１】
合成された映像データは、記録開始から記録停止までを１クリップとして、素材メモリＩ／Ｆ２３を介して素材メモリ２２に伝送されて記録される。また、必要に応じてコンピュータＩ／Ｆ２６を介して接続されたコンピュータに転送されたり、ネットワークＩ／Ｆ３２を介して外部機器に転送される。これらのデータ伝送は、伝送ライン３３を介して行われる。また、伝送ライン３３上には、記録媒体Ｉ／Ｆ３１が接続されており、記録媒体Ｉ／Ｆ３１にはメモリカード等の記録媒体３０が接続されている。記録媒体３０は、カメラブロックのビデオプロセッサ４で生成されたプロキシデータ等を記録させる媒体として機能する他に、予めカメラの設定データやその他撮影準備用のデータを記録させておき、撮影前に記録媒体Ｉ／Ｆ３１から読み込ませて設定内容を記録再生装置に反映させる等の用途に使用する媒体としても機能する。記録媒体Ｉ／Ｆ３１に接続させる記録媒体は、ＨＤＤ（ハードディスクドライブ）などであってもよい。
【００２２】
合成された映像データは、ＯＳＤ処理部２７にも供給され、ＯＳＤ処理部２７は、表示部２８上に各種案内用の文字、数字、図形などを表示させるための信号を生成して映像信号と合成し、その合成した映像信号を表示部Ｉ／Ｆ２９を経由して表示部２８に供給する。ＯＳＤ処理部２７が生成する信号には、再生や停止といった記録再生装置の現在の動作状況を示すアイコン（識別図形）や、その状態から移行し得る動作内容を示すアイコンを、表示部２８上の特定の操作内容表示領域に表示させるための表示指令信号も含む。操作内容表示領域に表示されるアイコンは、後述する操作部２８の十字キーの動作と連動して切り替わるようにしてあり、ＯＳＤ処理部２７は都度表示指令信号を生成する。
【００２３】
表示部２８は、例えば液晶パネル等で構成され、撮像部１によって撮影中の映像又は、記録再生部で記録された映像の再生映像を表示する。表示部２８は、映像の他にも、映像データの属性データであるメタデータの表示も行う。
【００２４】
また記録再生部は、記録再生部の各部に対する記録動作の指令又は記録された映像データの再生動作の指令等を行うための操作部２４を備える。カメラブロックの操作部１３として説明した十字キーは、カメラブロックと記録再生部に共通の操作子として設けてある。
【００２５】
図２は、十字キーの構成例を示す図である。十字キーは、画面上から反時計回りにＸＵ、ＸＬ、ＸＤ、ＸＲの４つの操作方向を示す矢印型のキーと、画面中央の円形のＸＡキーとで構成される。ＸＬ又はＸＲは、押下することで再生又は記録に関する一連の操作指令を切り替えられる構成としてある。例えば本例では、再生に関する操作を、ＸＬ及びＸＲで構成されるＸ軸上にＲＥＶ×１５（１５倍速巻戻し）−ＲＥＶ×４（４倍速巻戻し）−ＰＡＵＳＥ（一時停止）−ＰＬＡＹ（再生）−ＦＦ×４（４倍速早送り）−ＦＦ×１５（１５倍速早送り）を割り当ててある。ＸＬキーを押下することで、これらの各操作が時間的に逆方向（この場合は左方向）に切り替わり、ＸＲキーを押下することで、これらの各操作が時間的に正方向（この場合は右方向）に切り替わるようにしてある。また、それぞれのキーを押下する回数によって、動作の速度も切り替えられるようにしてある。
【００２６】
現在の操作内容（動作状況）を視覚的に確認できるように、本例ではビューファインダ１０や表示部２８上に、操作内容を表示させる操作内容表示領域を設けてあり、操作内容表示領域の表示例を、図３に示してある。図３は、素材メモリ２２等に記録された映像データを再生させた場合に表示される画面であり、画面左下の四角で囲まれた個所が操作内容表示領域ＡＲ１である。なお、操作内容表示領域ＡＲ１を表示させる位置は、画面左下に固定されるものではなく、その位置は自由に設定可能であるものとする。
【００２７】
操作内容表示領域ＡＲ１の中央には、再生を意味するアイコンが表示されており、その右には４倍速早送りを意味するアイコンが、反対側には一時停止を意味するアイコンが示されている。また、上方向には、現在表示されているクリップの前のクリップに移動できるＰＲＶアイコン、下方向には現在表示されているクリップの次のクリップに移動できるＮＸＴアイコンが示されている。
【００２８】
操作内容表示領域ＡＲ１は、その表示・非表示を操作部のボタン等のＯＮ・ＯＦＦで切り替えることができるようにしてあるが、非表示の設定がされている場合であっても、十字キーによる操作を検知した場合には自動的に表示させ、十字キーによる操作が所定の一定期間無かった場合には自動的に非表示とするようにしてある。
【００２９】
また、操作内容表示領域ＡＲ１に表示されるアイコンは、十字キーの操作に応じて切り替わるようにしてあり、十字キー操作に基づく表示の遷移の例を図４に示してある。図４（ａ）は、映像データの再生操作が行われ、映像データが再生されている状態の時に表示される画面の例である。操作内容表示領域ＡＲ１の中央には、再生を意味するアイコンが表示されており、案内表示としてのアイコンが、画面上から反時計回りにＰＲＶ、一時停止、ＮＸＴ、４倍速早送りの順に表示されている。この状態で一時停止させたい場合には、十字キーを左側に倒せばよい。
【００３０】
実際に十字キーを左側に倒した（ＸＬキーを押下した）場合の表示例を、図４（ｂ）に示してある。図４（ｂ）では、一時停止を意味するアイコンが操作内容表示領域ＡＲ１の中央に移動しており、これに伴って、再生を意味するアイコンが右側に移動している。そして、十字キーの左側のＸＬキーに対応する位置に４倍速巻戻しを意味するアイコンが新たに表示されている。
【００３１】
図４（ｂ）の状態でさらに十字キーを左側に倒す（ＸＬキーを押下する）と、一時停止状態から４倍速巻戻しに状態が切り替わり、操作内容表示領域ＡＲ１に表示される内容も図４（ｃ）のように切り替わる。図４（ｃ）においては、４倍速巻戻しを示すアイコンが画面左から現在の動作状態を示す場所である画面中央に移動しており、それに伴って一時停止を意味するアイコンが画面右側に移動している。そして、画面左に新たに１５倍速巻戻しを意味するアイコンが表示されている。十字キーの操作方向において、その先に割り当てられた操作が存在しない場合には、図４（ｄ）に表示されるように、次に移行し得る動作内容を示す画面右側の位置に何も表示しないようにするようにしてある。
【００３２】
図５は、十字キーの操作に基づく動作状況の遷移示すフローチャートと、それに伴う画面の変化を示す図である。まず、十字キーのいずれかのキーの押下又は操作部の他のボタンの押下等により一時停止が選択されると（ステップＳ１）、一時停止状態となり、操作内容表示領域ＡＲ１の中央にＯＳＤ処理部の処理に基づいて一時停止を示すアイコンが表示される。この状態で十字キーを右に倒す（ＸＲキーを押下する）と（ステップＳ２）、制御部２１の制御に基づいて再生が開始される（ステップＳ３）。そして、操作内容表示領域ＡＲ１においては、一時停止を意味するアイコンが左側に移動すると共に、現在の状態を示す画面中央に、再生を示すアイコンが移動する。
【００３３】
ここでさらに十字キーを右側に倒す（ＸＲキーを押下する）と（ステップＳ４）、制御部２１の制御に基づいて動作状態が４倍速早送りに切り替わる（ステップＳ５）。そして、操作内容表示領域ＡＲ１においては、再生を示すアイコンが画面の左側に移動し、現在の動作状態を示す画面中央に４倍速早送りを意味するアイコンが移動する。
【００３４】
画面上部のＰＲＶ又は下部のＮＸＴのアイコンは、十字キーのＸＵキーとＸＤキーに対応しており、例えば画面上部にＰＲＶアイコンが表示された状態で十字キーのＸＵキーが押下された場合は、選択中のクリップの先頭が示され、そこから再び再生が開始される。ＸＤキーが押下されると、時間的に後に記録されたクリップが選択・表示される。また、ＸＵキー又はＸＤキーが複数回押下されると、キーの押下回数に対応する数だけ前或いは後のクリップが選択・表示されるようにしてある。
【００３５】
ＸＵキーまたはＸＤキーの押下により、ＰＲＶ又はＮＸＴの選択操作が行われた場合は、時間的に前又は後のクリップが選択された上で、キー操作が行われた時の動作状態に応じた動作が行われる。この場合の動作の例を、図６のフローチャートに示してある。図６（ａ）には、一時停止又は巻戻し状態においてＮＸＴ又はＰＲＶが選択された場合の動作の例を示してある。図６（ａ）で、まず一時停止又は巻戻しの操作が行われた後に（ステップＳ１１）十字キー等の操作によりＮＸＴ又はＰＲＶが選択されると（ステップＳ１２）、移動先のクリップの先頭で一時停止される（ステップＳ１３）。
【００３６】
図６（ｂ）は、再生又は早送り状態においてＮＸＴ又はＰＲＶの選択が行われた場合の動作の例を示してある。まず、再生又は早送りの操作が行われた後に（ステップＳ２１）、十字キー等の操作によりＮＸＴ又はＰＲＶの選択が行われると（ステップＳ２２）、移動先のクリップの先頭から再生が開始される（ステップＳ２３）。
【００３７】
このように、十字キーの各操作方向に対して再生や停止等の操作を割り当てあるため、それぞれの操作に対応する独立したキーを複数設ける必要が無くなり、省スペース化を図ることができる。
【００３８】
また、十字キーを右側に倒すと、再生に関する操作が時間的に正方向に切り替わり、左側に倒すと時間的に逆方向に切り替わるようにしてあるため、ひとつのキーから手を離すことなく各種操作を切り替えることができ、かつ直感的に適切な動作を選択できるようになる。
【００３９】
また、表示部の操作内容表示領域の中央部に、現在の記録再生装置の状態をアイコンとして表示してあり、その周辺に案内表示として移行し得る動作内容をアイコンで表示してあるため、現在の動作状況を確認しながら適切な操作を行うことが可能となる。現在の動作状態は操作内容表示領域の中央部分に表示されるため、現在の動作状態を視覚的に容易に確認することができる。
【００４０】
さらに、操作内容表示領域に表示される各アイコンは、十字キーの操作に応じて切り替わるようにしてあるため、常に適切な表示がされるようになり、誤操作の無い適切な操作を実現させることができる。
【００４１】
なお、ここまで説明した実施の形態では、十字キーのＸＬ及びＸＲで構成されるＸ軸上にＲＥＶ×１５（１５倍速巻戻し）−ＲＥＶ×４（４倍速巻戻し）−ＰＡＵＳＥ（一時停止）−ＰＬＡＹ（再生）−ＦＦ×４（４倍速早送り）−ＦＦ×１５（１５倍速早送り）を割り当ててあり、例えば１５倍速早送りの状態で一時停止を行いたい場合にはＸＬキーを左側に３回倒す操作を行う必要があったが、図７に示されるように、早送りの状態でもすぐに一時停止操作に移行できるよう、早送り操作の次に一時停止の操作を割り当てるようにしてもよい。図７においては、１５倍速早送り操作の次に一時停止の操作を割り当ててある。同様に、巻戻し状態でもすぐに一時停止操作に移行できるように、速巻戻し操作の次に一時停止の操作を割り当てるようにしてもよい。
【００４２】
また、ここまで説明した実施の形態では、案内表示としてのアイコンを現在の動作状態を示すアイコンを中心に、上下左右の各方向に１つずつ表示させるようにしたが、表示領域の大きさに余裕がある場合などは、図８に示すように、十字キーのＸＬキー又はＸＲキーの方向に複数のアイコンを表示させるようにしてもよい（この場合は２つ）。又は、上下方向に複数のアイコンを表示させてもよい。
【００４３】
また、ここまで説明した実施の形態では、すべてのアイコンを単一の色で表現してあるが、図９に示されるように、画面中央の現在の動作状態を示すアイコンの色を他のアイコンとは異なる色で表示させるようにしてもよい。
【００４４】
また、ここまで説明した実施の形態では、十字キーに割り当てられた操作が上下左右のいずれかの方向の先に存在しない状態となった場合には、何も表示しないようにしてあるが、図１２に示されるように、進入禁止のアイコンなどを表示させ、これ以上その方向にキーを押下しても操作内容が変化しないことを分かり易く示すようにしてもよい。
【００４５】
また、ここまで説明した実施の形態では、前のクリップに移動するための“ＰＲＶ”アイコンや、次のクリップに移動するための“ＮＸＴ”アイコンを、“ＰＲＶ”や“ＮＸＴ”の文字で表示させてあるが、図１１に示されるようにこれらの標記もアイコンで表示するようにしてもよい。
【００４６】
また、ここまで説明した実施の形態では、再生に関する操作を十字キーに割り当てた構成としたが、記録に関する操作も割り当て、十字キーの操作方向の切り替えにより再生動作（再生モード）と記録動作（記録モード）とを切り替えられる構成としてもよい。この場合のアイコンの表示例を図１２に示してある。図１２は、十字キーの中央のＸＡキーを押し込むことで記録動作に移行できるようにした場合の、操作内容表示領域ＡＲ１に表示されるアイコンの表示例である。
【００４７】
図１２において、記録動作は黒丸で示してあり、記録を示すアイコンの両脇に一時停止操作を割り当ててある様子が示されている。十字キーを左側に倒して（ＸＬキーを押下して）一時停止操作を選択し、その状態でさらに十字キーを左側に倒す（ＸＬキーを押下する）と、再生モードに切り換えなくても直前に撮影した画像を再生できるＲＥＣ Ｒｅｖｉｅｗモードに切り替わるようにしてある。
【００４８】
また、記録がされている状態で十字キーを右側に倒して（ＸＲキーを押下して）一時停止操作を選択し、その状態でさらに十字キーを左側に倒す（ＸＲキーを押下する）と、任意のフレームレートに切り替えて記録を行えるＳ＆Ｑ（Slow and Quick）Ｍｏｔｉｏｎモードに切り替わるようにしてある。このように、再生・記録以外の機能を十字キーに割り当てて、操作内容表示領域に、各操作に対応するアイコンを表示させるようにしてもよい。
【００４９】
さらに、Ｓ＆Ｑ Ｍｏｔｉｏｎモードにおいては、フレームレートをより細かく変更することができるように、操作子の上下左右の４方向だけでなく、図１３に示したような複数の方向（この場合は８方向）に異なるフレームレート設定値を割り当て、操作子の操作方向変換によってフレームレートを切り替えられるようにしてもよい。図１３のような表示がされている状態で、例えば操作子を上方向に倒すとフレームレートが３０ｆｐｓ（frame per second）に切り替わり、右斜め上方向に倒すと２６ｆｐｓに切り替わり、右方向に倒すと２４ｆｐｓに切り替わる。Ｘｆｐｓ、Ｙｆｐｓと表示してある部分におけるＸまたはＹは、不特定のフレームレート設定値を意味する。図１３におけるフレームレート設定値の配置はひとつの例として挙げたものであり、この配置に限定されるものではない。また、この場合、操作子としては十字キーではなく、図１３に示したような多方向への切り替えに対応可能な他の形状のキーを用いるようにすることで、複数のフレームレート設定値への切り替えが可能となる。
【００５０】
さらに、上述した実施の形態では、十字キーのＸＡキーを押し込むことで記録動作を開始させることができる構成としてあるが、十字キーのＸＵキー押下又はＸＤキー押下の上下の操作により、再生モードと記録モードとを切り替えられるように構成してもよい。この場合の十字キーへの各機能の割り当ての例を図１４に示してある。図１４において、十字キーを上下に倒す（ＸＵキー又はＸＤキーを押下する）操作を行うことで再生モード、記録モード、クリップ間移動モードの切り替えが行えるようにしてあり、十字キーを左右に倒す（ＸＬキー又はＸＲキーを押下する）操作を行うことで、モード内の各動作の時間的な方向と速度とを切り替えられるようにしてある。
【００５１】
図１５は、図１４に示されたような機能割り当てが十字キーにされた場合の、操作内容表示領域への各アイコンの表示例を示したものである。図１５（ａ）は、再生を一時停止している状態における表示例を示してある。左右方向には再生に関する動作を示すアイコンが表示してあり、上下方向には、記録を意味するアイコンや、クリップ間を移動するＣＬＩＰ ＪＵＭＰモードを意味するアイコンが示されている。図１５（ａ）では、選択中のモードを分かり易くするために色を変えて表示してあり、このように、選択中のモード内の操作アイコンを他の色で表示させるようにしてもよい。
【００５２】
図１５（ａ）の状態で、十字キーを上方向に２回倒した（ＸＵキーを２回押下した）場合の表示例を、図１５（ｂ）に示してある。再生が一時停止された図１５（ａ）の状態で、十字キーを上方向に２回倒すことで記録が開始され、記録が開始されると同時に、現在の動作状況を示す画面中央の位置に記録を示すアイコンが移動する。
【００５３】
図１５（ｃ）は、図１５（ａ）の状態で、十字キーを下方向に倒した（ＸＤキーを押下した）場合の表示例を示してある。再生が一時停止された図１５（ａ）の状態で、十字キーを下方向に倒すことでＣＬＩＰ ＪＵＭＰモードが選択された様子が示してある。ＣＬＩＰ ＪＵＭＰモードを示すアイコンが、現在の動作状況を示す画面中央の位置に移動しており、一時停止を示すアイコンが画面上方向に移動している。また、図１４（ａ）においては、案内表示としてのアイコンを上下左右の各方向に複数表示させた例を示してあるが、図１６に示されるように、上下左右方向にそれぞれ１つの操作を割り当てて表示させるようにしてもよい。
【００５４】
また、ここまで説明した実施の形態では、操作子として十字キーを用いた場合について説明したが、上下左右の様々な方向への切り替えが行えるような、四角形や円形等の形状のキーを用いるようにしてもよい。
【００５５】
さらに、ここまで説明した実施の形態では、記録と再生の両方を行える記録再生装置に適用した例として説明を行ったが、記録のみを行う記録装置や、再生のみを行う再生装置、又はこれらの機能を有するビデオカメラ等であってもよく、様々な装置に広く適用可能である。
【図面の簡単な説明】
【００５６】
【図１】本発明の一実施の形態による記録再生装置の構成例を示すブロック図である。
【図２】本発明の一実施の形態による十字キーの構成例を示す説明図である。
【図３】本発明の一実施の形態による操作内容表示領域の表示例を示す説明図である。
【図４】本発明の一実施の形態による操作内容表示領域の表示例を示す説明図である。
【図５】本発明の一実施の形態による十字キーの操作処理例を示すフローチャートである。
【図６】本発明の一実施の形態によるＮＸＴ操作又はＰＲＶ操作時の処理例を示すフローチャートである。
【図７】本発明の一実施の形態による汚れ検出を分割して行う場合の処理例を示すフローチャートである。
【図８】本発明の他の形態による操作内容表示領域の表示例を示す説明図である。
【図９】本発明の他の形態による操作内容表示領域の表示例を示す説明図である。
【図１０】本発明の他の実施の形態による操作内容表示領域の表示例を示す説明図である。
【図１１】本発明の他の実施の形態による操作内容表示領域の表示例を示す説明図である。
【図１２】本発明の他の実施の形態による操作内容表示領域の表示例を示す説明図である。
【図１３】本発明の他の実施の形態による十字キーの構成例を示す説明図である。
【図１４】本発明の他の実施の形態による十字キーへの操作割り当て例を示す説明図である。
【図１５】本発明の他の実施の形態による操作内容表示領域の表示例を示す説明図である。
【図１６】本発明の他の実施の形態による操作内容表示領域の表示例を示す説明図である。
【符号の説明】
【００５７】
１…撮像部、２…カメラコントローラ、３…カメラコントローラＩ／Ｆ、４…ビデオプロセッサ、５…ビデオ信号圧縮部、６…ビデオＩ／Ｆ、７…ビデオプロセッサＩ／Ｆ、８、２７…ＯＳＤ処理部、９、３３…伝送ライン、１０…ビューファインダ、１１…ビューファインダＩ／Ｆ、１２、２１…制御部、１５…１３、２４…操作部、１３、２５…操作部Ｉ／Ｆ、１５…記録再生部Ｉ／Ｆ、１６…カメラＩ／Ｆ、１７…マイクロフォン、１８…オーディオプロセッサ、１９…オーディオプロセッサＩ／Ｆ、２０…オーディオＩ／Ｆ、２２…素材メモリ、２３…素材メモリＩ／Ｆ、２６…コンピュータＩ／Ｆ、２８…表示部、２９…表示部Ｉ／Ｆ、３０…記録媒体、３１…記録媒体Ｉ／Ｆ、３２…ネットワークＩ／Ｆ
【図１】
2008053838.tif 000003
【図２】
2008053838.tif 000004
【図４】
2008053838.tif 000005
【図５】
2008053838.tif 000006
【図６】
2008053838.tif 000007
【図７】
2008053838.tif 000008
【図８】
2008053838.tif 000009
【図９】
2008053838.tif 000010
【図１０】
2008053838.tif 000011
【図１１】
2008053838.tif 000012
【図１２】
2008053838.tif 000013
【図１３】
2008053838.tif 000014
【図１４】
2008053838.tif 000015
【図１５】
2008053838.tif 000016
【図１６】
2008053838.tif 000017
【図３】
2008053838.tif 000018